(57)【要約】【課題】建設工事において発生した建設残土や建設副産物を有効に利用する方法を提供する。【解決手段】建設工事にて発生した建設残土を固化材と混合してソイルモルタル２１を作製して打設現場に運搬して埋め戻す際に、所定の大きさ以下に粉砕あるいは選別された、コンクリート片やアスファルトガラや木片、あるいは、陶片、ガラス片などの化学的に汚染されていない所定の強度を有する建設副産物２２（２２Ａ，２２Ｂ）を、上記ソイルモルタル２１に混入させて埋め戻すようにした。【選択図】　　　　図３
2004049930.tif 000002
【特許請求の範囲】
【請求項１】
建設工事にて発生した土砂を固化材と混合してソイルモルタルを作製して埋め戻す際に、上記ソイルモルタルに、所定の大きさ以下に粉砕あるいは選別された、化学的に汚染されていない所定の強度を有する建設副産物または他産業リサイクル材を混入させて埋め戻すようにしたことを特徴とする建設副産物または他産業リサイクル材の埋め戻し方法。
【請求項２】
上記埋め戻す建設副産物または他産業リサイクル材に含まれる最大粒径が１０ｍｍ以下の細粒分を１０％以下としたことを特徴とする請求項１に記載の建設副産物または他産業リサイクル材の埋め戻し方法。
【請求項３】
上記ソイルモルタルに上記ソイルモルタルよりも比重の小さな建設副産物または他産業リサイクル材を先行して打設するとともに、上記ソイルモルタルの硬化が始まる前に、上記ソイルモルタルよりも比重の大きな建設副産物または他産業リサイクル材を上記ソイルモルタル中に投入するようにしたことを特徴とする請求項１または請求項２に記載の建設副産物または他産業リサイクル材の埋め戻し方法。
【請求項４】
上記ソイルモルタルを先行して打設し、このソイルモルタル中に上記ソイルモルタルよりも比重の小さな建設副産物または他産業リサイクル材を投入した後、上記ソイルモルタルの硬化が始まる前に、上記ソイルモルタルよりも比重の大きな建設副産物または他産業リサイクル材を上記ソイルモルタル中に投入するようにしたことを特徴とする請求項１または請求項２に記載の建設副産物または他産業リサイクル材の埋め戻し方法。
【請求項５】
建設現場にて発生した土砂をミキサー車に積み込み、上記ミキサー車内でソイルモルタルを作製し、このソイルモルタルを上記ミキサー車により打設現場に運搬して打設するようにしたことを特徴とする請求項１〜請求項４のいずれかに記載の建設副産物または他産業リサイクル材の埋め戻し方法。
【請求項６】
堤防の河川とは反対側を嵩上げして盛土して成るスーパー堤防の上記嵩上げ部の河川側に、上記ソイルモルタルと上記建設副産物または他産業リサイクル材とを埋め戻すようにしたことを特徴とする請求項１〜請求項５のいずれかに記載の建設副産物または他産業リサイクル材の埋め戻し方法。
【発明の詳細な説明】
【０００１】
【発明の属する技術分野】
本発明は、建設工事にて発生した建設残土や建設副産物を有効に利用する方法に関するものである。
【０００２】
【従来の技術】
従来、トンネル掘削工事、地下鉄工事、管路敷設工事、河川の改修工事等により発生する土砂は一般に低品質であるため、そのままでは土木資材には使えないことから、建設残土として、ダンプトラック等の運搬手段により仮置き場や捨て場等に運搬され、最終的に廃棄されていた。しかし、近年、既設処分場の残容量の逼迫性や環境問題による新規埋立処分場の立地が困難であることなどから、上記建設残土のリサイクルへの取り組みが行われてきている。
その１つとして、建設工事において発生した低品質の建設残土である泥土や粘性土水とセメントとに混合してスラリー状の混合物であるソイルモルタルを作製し、これを工事現場に埋め戻して再利用する方法が提案されている。具体的には、上記土砂をダンプトラックにより仮置き場に運搬し、運搬された土砂を仮置き場に設置された泥水製造装置に投入して泥水を作製し、この泥水をミキサー車に転載して打設現場に運搬し、この運搬した泥水を打設現場に設置されたミキサーに転載し、そのミキサーにて上記泥水とセメントとを混合してソイルモルタルを作製し、これを埋め戻して打設する。
【０００３】
【発明が解決しようとする課題】
しかしながら、上記建設残土とともに発生する建設副産物であるコンクリート片やアスファルトガラや木片、あるいは、陶片、ガラス片などについては、上記処理の対象にならないため、産業廃棄物として廃棄していた。
上記コンクリート片などの建設副産物は、一般には、化学的に汚染されておらず、また、比較的強度も高い材料であることから、建設残土だけでなく、これらの建設副産物についても、処分場に埋立てることなく有効利用する方法の開発が望まれている。
【０００４】
本発明は、従来の問題点に鑑みてなされたもので、建設工事において発生した建設残土や建設副産物を有効に利用する方法を提供することを目的とする。
【０００５】
【課題を解決するための手段】
本発明の請求項１に記載の建設副産物または他産業リサイクル材の埋め戻し方法は、建設工事にて発生した土砂を固化材と混合してソイルモルタルを作製して埋め戻す際に、上記ソイルモルタルに、所定の大きさ以下に粉砕あるいは選別された、化学的に汚染されていない所定の強度を有する建設副産物または他産業リサイクル材を混入させて埋め戻すようにしたことを特徴とするもので、これにより、建設現場で発生する建設残土と、コンクリート片やアスファルトガラや木片、陶片、ガラス片などの建設副産物、あるいは、廃タイヤなどの他産業リサイクル材とを、処分場に埋立てることなく有効利用することが可能となる。なお、上記建設残土及び建設副産物または他産業リサイクル材を埋め戻す個所としては、深さも大きく、かつ、上部は公共用地として公園や道路等に供せられる、堤防等の将来掘り起こされる可能性のない箇所とすることが望ましい。
【０００６】
請求項２に記載の建設副産物または他産業リサイクル材の埋め戻し方法は、細粒分が多いと、ソイルモルタルの強度を低下させる可能性があり、また、埋め戻した建設副産物または他産業リサイクル材間に小さな空隙が多数生じ易いことから、上記埋め戻す建設副産物または他産業リサイクル材に含まれる最大粒径が１０ｍｍ以下の細粒分を１０％以下とし、投入した建設副産物または他産業リサイクル材間に残存する空隙をなくすようにしたものである。
【０００７】
また、請求項３に記載の建設副産物または他産業リサイクル材の埋め戻し方法は、上記ソイルモルタルに上記ソイルモルタルよりも比重の小さな建設副産物または他産業リサイクル材を先行して打設するとともに、上記ソイルモルタルの硬化が始まる前に、上記ソイルモルタルよりも比重の大きな建設副産物または他産業リサイクル材を上記ソイルモルタル中に投入するようにしたもので、これにより、投入した建設副産物または他産業リサイクル材間に残存する空隙をなくすことができるとともに、木片などの比重の小さい材料が打設したソイルモルタルの上部に浮遊することを防止することが可能となる。
請求項４に記載の建設副産物または他産業リサイクル材の埋め戻し方法は、上記ソイルモルタルを先行して打設し、このソイルモルタル中に上記ソイルモルタルよりも比重の小さな建設副産物または他産業リサイクル材を投入した後、上記ソイルモルタルの硬化が始まる前に、上記ソイルモルタルよりも比重の大きな建設副産物または他産業リサイクル材を上記ソイルモルタル中に投入するようにしたことを特徴とするものである。
【０００８】
請求項５に記載の建設副産物または他産業リサイクル材の埋め戻し方法は、建設現場にて発生した土砂をミキサー車に積み込み、上記ミキサー車内でソイルモルタルを作製し、このソイルモルタルを上記ミキサー車により打設現場に運搬して打設するようにしたことを特徴とする。
【０００９】
また、請求項６に記載の建設副産物または他産業リサイクル材の埋め戻し方法は、堤防の河川とは反対側を嵩上げして盛土して成るスーパー堤防の河川側に、上記ソイルモルタルと上記建設副産物または他産業リサイクル材とを埋め戻すようにしたことを特徴とする。
【００１０】
【発明の実施の形態】
以下、本発明の実施の形態について、図面に基づき説明する。
図１は、本実施の形態に係るスーパー堤防の概要を示す図である。スーパー堤防１０は、図中の細かい斜線部で示した従来の堤防断面１１の河川とは反対側を嵩上げして盛土した嵩上げ部１２を有する堤防で、この嵩上げ部１２の河川側１２Ａの上部は、通常、公共用地として公園や道路等に供せられ、河川側１２Ａよりも奥側である内部側１２Ｂは、一般の宅地等に利用される。
本例では、建設工事にて発生した土砂を固化材と混合してソイルモルタルを作製してこれを埋め戻して上記嵩上げ部１２を盛土する際、深さも大きく、かつ、将来掘り起こされる可能性のない上記河川側１２Ａについては、上記ソイルモルタル中に、建設現場で発生したコンクリート片やアスファルトガラや木片、あるいは、陶片、ガラス片などの化学的に汚染されておらず、かつ、所定の強度を有する建設副産物を混入させて埋め戻すようにし、建造物の基礎などを構築するため、将来掘り起こされる可能性がある内部側１２Ｂについては、従来通りソイルモルタルのみを埋め戻すようにしている。
【００１１】
上記ソイルモルタルとしては、図２の概念図に示すように、建設現場Ｐで発生した建設残土をミキサー車２０Ｍに積み込み、この建設残土をミキサー車２０Ｍ内でセメント及び水と混合して作製する。そして、このソイルモルタル２１を打設現場（ここでは、スーパー堤防１０の嵩上げ部の河川側１２Ａの打設現場）Ｑに運搬して打設するとともに、建設現場Ｐで発生したコンクリート片やアスファルトガラや木片、陶片、ガラス片など建設副産物２２についても、トラック２０Ｔにより上記打設現場Ｑに運搬して、これを上記打設したソイルモルタル２１中に投入する。
このとき、均一な埋め戻しをするためには、上記ソイルモルタル２１に混入させる建設副産物２２として、所定の大きさ以下に粉砕あるいは選別されたものを用いることが好ましい。このとき、上記建設副産物２２の大きさとしては、その最大粒径が５００ｍｍ以下であることが好ましく、２００ｍｍ以下であれば更に好ましい。また、上記建設副産物２２の量としては、その容積比が７０％以下になるようにすることが好ましく、６０％以下であれば更に好ましい。また、最大粒径が１０ｍｍ以下の細粒分が多いと、ソイルモルタルが埋め戻した建設副産物間に浸透しにくく、建設副産物２２間に小さな空隙が多数生じ易いことから、上記埋め戻す建設副産物２２に含まれる上記細粒分を１０％以下とすることが好ましい。
なお、上記建設副産物２２の粉砕あるいは選別は、建設現場Ｐで行ってもよいし、別途建設副産物処理施設を設けて行ってもよい。
【００１２】
また、上記建設副産物２２を上記ソイルモルタルよりも比重の小さなものと大きなものとに予め分別しておき、図３に示すように、上記ソイルモルタル２１に木材等の比重の小さな建設副産物２２Ａを混合したものを先行して打設し、上記ソイルモルタル２１の硬化が始まる前に、上記ソイルモルタル２１よりも比重の大きな建設副産物２２Ｂを上記ソイルモルタル２１中に投入するか、あるいは、上記ソイルモルタル２１を先行して打設し、上記ソイルモルタル２１よりも比重の小さな建設副産物２２Ａを上記ソイルモルタル２１中に投入し、その後、上記ソイルモルタル２１の硬化が始まる前に、上記ソイルモルタル２１よりも比重の大きな建設副産物２２Ｂを上記ソイルモルタル２１中に投入する。
図４に示すように、上記建設副産物２２Ａ，２２Ｂを先行して打設現場Ｑに投入した場合には、木材等の比重の小さな建設副産物２２Ａは後から投入したソイルモルタル２１の上部に浮き上がり易く、また、上記建設副産物２２Ａ，２２Ｂ間にソイルモルタル２１が十分浸透せずに空隙２２Ｓが生じることがあるが、本例のように、ソイルモルタル２１の硬化が始まる前に、上記ソイルモルタル２１よりも比重の大きな建設副産物２２Ｂを投入するようにすれば、上記建設副産物２２Ｂにより、木材等の比重の小さな建設副産物２２Ａを打設したソイルモルタル２１の内部に保持することができるとともに、上記空隙の発生を防止することができるので、均一な埋め戻しが可能となる。
【００１３】
このように、本実施の形態では、スーパー堤防１０を構築する際に、建設工事にて発生した建設残土を固化材と混合してソイルモルタル２１を作製して打設現場であるスーパー堤防１０の嵩上げ部の河川側１２Ａに運搬して埋め戻す際に、上記ソイルモルタルに、所定の大きさ（例えば、最大粒径が２００ｍｍ以下の大きさ）に粉砕あるいは選別された、コンクリート片やアスファルトガラや木片、あるいは、陶片、ガラス片などの化学的に汚染されていない所定の強度を有する建設副産物２２（２２Ａ，２２Ｂ）を、その容積比が所定割合以下（例えば、６０％以下）になるように混入させて埋め戻すようにしたので、建設現場Ｐで発生する建設残土と建設副産物とを、処分場に埋立てることなく有効利用することができる。
また、上記ソイルモルタル２１を先行して打設し、このソイルモルタル２１の硬化が始まる前に、上記ソイルモルタルよりも比重の大きな建設副産物２２Ａを上記ソイルモルタル２１中に投入したり、あるいは、上記ソイルモルタル２１を先行して打設し、上記ソイルモルタル２１よりも比重の小さな建設副産物２２Ａを上記ソイルモルタル２１中に投入し、その後、上記ソイルモルタル２１の硬化が始まる前に、上記ソイルモルタル２１よりも比重の大きな建設副産物２２Ｂを上記ソイルモルタル２１中に投入することにより、投入した建設副産物２２Ａ，２２Ｂ間に残存する空隙をなくすとともに、木片などの比重の小さな建設副産物２２Ａが打設したソイルモルタル２１の上部に浮遊することを防止するようにしたので、均一な埋め戻しが可能となる。
【００１４】
なお、上記実施の形態では、ソイルモルタル２１を作製する際に、建設工事にて発生した建設残土を用いたが、これに限るものではなく、河川や荒れ地等の地盤から新たに掘削した土砂であってもよい。また、ソイルモルタル２１とともに埋め戻される建設副産物または他産業リサイクル材としては、コンクリート片、アスファルトガラ、あるいは木片等の建設副産物に限定されるものではなく、リサイクル材として収集された木片、あるいは、陶片、ガラス片、あるいは廃タイヤなどの化学的に汚染されていない所定の強度を有するものであればよい。
また、本例では、スーパー堤防１０の上記河川側１２Ａを埋め戻した場合について説明したが、埋め戻し箇所はこれに限るものではなく、深さも大きく、かつ、将来掘り起こされる可能性のない箇所であればよい。
【００１５】
【発明の効果】
以上説明したように、本発明によれば、建設工事にて発生した土砂を固化材と混合してソイルモルタルを作製して埋め戻す際に、上記ソイルモルタルに、所定の大きさ以下に粉砕あるいは選別された、化学的に汚染されていない所定の強度を有する建設副産物または他産業リサイクル材を混入させて埋め戻すようにしたので、建設現場で発生する建設残土とコンクリート片やアスファルトガラや木片、あるいは、陶片、ガラス片などの建設副産物や廃タイヤなどの他産業リサイクル材を、処分場に埋立てることなく有効利用することができる。
【図面の簡単な説明】
【図１】本実施の形態に係るスーパー堤防の概要を示す図である。
【図２】本実施の形態に係る地盤改良方法を示す概念図である。
【図３】本実施の形態に係るソイルモルタルと建設副産物の埋め戻し方法を説明するための図である。
【図４】ソイルモルタルと建設副産物の他の埋め戻し方法を説明するための図である。
【符号の説明】
１０　スーパー堤防、１１　従来の堤防断面、１２　嵩上げ部、１２Ａ　嵩上げ部の河川側、１２Ｂ　嵩上げ部の内部側、２０Ｍ　ミキサー車、２１　ソイルモルタル、２２，２２Ａ，２２Ｂ　建設副産物、２２Ｓ　空隙、Ｐ　建設現場、Ｑ　打設現場。
【図１】
2004049930.tif 000003
【図２】
2004049930.tif 000004
【図３】
2004049930.tif 000005
【図４】
2004049930.tif 000006